(57)【要約】【課題】簡単な構成でありながら、ボイスパーカッション用法や落下衝撃などにより振動板が大きく変位したとしても、ボイスコイルの引き出し線の断線を確実に防止する。【解決手段】センタードーム１０ａとサブドーム１０ｂの境界部にボイスコイル１１が取り付けられている振動板１０と、永久磁石２１の一方の極側に接続されたリングヨーク２４および他方の極側に接続されたセンターポールピース２２により形成される磁気ギャップＧを有する磁気発生回路２０とを備え、振動板１０を介してボイスコイル１１が磁気ギャップＧ内で振動可能に支持され、ボイスコイル１１の引き出し線１１ａがリングヨーク２４の上面に沿って配線され外部に引き出されるダイナミックマイクロホンにおいて、リングヨーク２４の上面側に、引き出し線１１ａが配線される溝３０を設け、振動板１０の過大変位時に引き出し線１１ａを溝３０内に逃す。【選択図】図１
2008148096.tif 000002
【特許請求の範囲】
【請求項１】
センタードームとサブドームの境界部にボイスコイルが取り付けられている振動板と、永久磁石の一方の極側に接続されたリングヨークおよび他方の極側に接続されたセンターポールピースにより形成される磁気ギャップを有する磁気発生回路とを少なくとも備え、上記振動板を介して上記ボイスコイルが上記磁気ギャップ内で振動可能に支持され、上記ボイスコイルの引き出し線が上記境界部から上記リングヨークの上面に沿って配線され外部に引き出されるダイナミックマイクロホンにおいて、
上記リングヨークの上面側に、上記引き出し線が配線される溝が設けられていることを特徴とするダイナミックマイクロホン。
【請求項２】
上記溝は、少なくとも上記引き出し線の直径以上の深さで、かつ、上記サブドームが入り込み得ない幅を備えていることを特徴とする請求項１に記載のダイナミックマイクロホン。
【請求項３】
上記溝は、上記リングヨークの上面に所定の間隔をもって貼着されたテープの間に形成されていることを特徴とする請求項１または２に記載のダイナミックマイクロホン。
【請求項４】
上記溝は、上記リングヨークの上面に所定の間隔をもって塗布された印刷層の間に形成されていることを特徴とする請求項１または２に記載のダイナミックマイクロホン。
【請求項５】
上記溝は、上記リングヨークの上面に形成された切削溝もしくはプレス加工溝よりなることを特徴とする請求項１または２に記載のダイナミックマイクロホン。
【発明の詳細な説明】
【技術分野】
【０００１】
本発明はダイナミックマイクロホンに関し、さらに詳しくいえば、振動板の最大変位時におけるボイスコイルの引き出し線の断線を効果的に防止する技術に関するものである。
【背景技術】
【０００２】
図５の断面図に示すように、ダイナミックマイクロホンは、基本的な構成として、振動板１０と、磁気発生回路２０とを備えている。
【０００３】
振動板１０は、センタードーム１０ａと、その周りに一体に連設されたサブドーム１０ｂを備え、その全体が極めて薄い（例えば９μm程度域）合成樹脂フィルムにより作成される。センタードーム１０ａとサブドーム１０ｂの境界部には、ボイスコイル１１が取り付けられている。
【０００４】
磁気発生回路２０は、永久磁石２１と、当該永久磁石２１の一方の極側に設けられたセンターポールピース２２と、永久磁石２１の他方の極側にカップ状のヨーク２３を介して磁気的に接続されたリングヨーク２４とを備えて構成される。センターポールピース２２とリングヨーク２４は同軸的に配置され、それらの間で均一な磁束密度の磁気ギャップＧが形成されている。
【０００５】
ボイスコイル１１は、絶縁被膜を有する例えば３０μm程度の銅線からなり、所定のターン数で巻回された状態で発電コイルとしてセンタードーム１０ａとサブドーム１０ｂとの境界部分に接着剤で固着されている。
【０００６】
磁気発生回路２０は図示しないユニットホルダ内に収納され、振動板１０はボイスコイル１１が上記磁気ギャップＧ内で振動するようにサブドームの周縁部が上記ユニットホルダに固定されている。
【０００７】
ボイスコイル１１の引き出し線１１ａは、センタードーム１０ａとサブドーム１０ｂとの境界部分からサブドーム１０ｂの内面側であるリングヨーク２４の上面に沿って配線され、上記ユニットホルダに設けられている図示しない中継端子板にまで引き出されて、中継端子板の所定の端子にハンダ付けされる。
【０００８】
到来する音波により、振動板１０とともにボイスコイル１１が上記ギャップＧ内で振動することによりボイスコイル１１が発電し、それによる電気信号が図示しない音声出力回路を介して音声信号として出力される。  
【０００９】
多くの場合、ダイナミックマイクロホンは、通常の音声を収音するボーカルマイクロホンとして用いられるが、音質上の観点から楽器の収音にも用いられている。楽器用途の場合、多少の設計変更が行われる。
【００１０】
一例として、バスドラム用途の場合には、バスドラムの周波数特性に鑑み、振動板１０のスチフネスが小さく（振動板を柔らかく）されるとともに、ボイスコイル１１は重く設計されるのが一般的である。
【００１１】
このように、バスドラム用のダイナミックマイクロホンの低域共振周波数は低く設計されているため、実際の収音時における共振周波数付近での振幅は極めて大きく、例えば±０．５ｍｍ程度の振幅になることがある。
【００１２】
そのため、図６に示すように、大振幅時にはボイスコイル１１の引き出し線１１ａがリングヨーク２４に強く押し付けられ、特にリングヨーク２４のエッジによる引き出し線１１ａの断線が多く発生する。
【００１３】
これを防止するため、特許文献１に記載の発明（第１従来技術）では、振動板のセンタードームと対向するセンターポールピース側に、センタードーム側に向けて円弧凸状を呈し振動板の最大変位量を規制する変位規制部材を設けるようにしている。
【００１４】
また、別の方法として、特許文献２に記載の発明（第２従来技術）では、大振幅時にリングヨークのエッジに当接する引き出し線の付け根部分（根元部分）に、衝撃緩和用として弾性接着剤を塗布するようにしている。
【００１５】
【特許文献１】特開２００５−２６０３０６号公報
【特許文献２】特開２００６−１９７９１号公報
【発明の開示】
【発明が解決しようとする課題】
【００１６】
上記第１および第２従来技術は、マイクロホンが音源からある程度（例えば１０ｃｍ程度）の距離を置いて使用される場合には有効である。しかしながら、近年のボイスパーカションなる用法の場合になると、上記従来技術ではボイスコイルの引き出し線の断線を防ぎきれない事態が生ずる。
【００１７】
ボイスパーカッションとは、打楽器の奏でる音色を音声で表現する演奏技術であり、マイクロホンに強烈に息を吹きかけ、あるいはヘッドケースの後部を手で覆った状態で加息により強い音圧でマイクロホンに衝撃的に音波を加えるなどの方法で、打楽器のような音声出力を得るものである。
【００１８】
このような用法の場合、音源が極めて近く振動板に強い衝撃的な圧力が加えられるとから、振動板が線形な変位でなくなる。したがって、上記第１従来技術のように、センターポールピース側に振動板の変位規制部材を設けたとしても、サブドームの潰れにより、ボイスコイルの引き出し線がリングヨークに強く押し付けられ断線することがある。
【００１９】
上記第２従来技術についても同様のことが言えるが、この場合、弾性接着剤に代えて硬く硬化する樹脂を用いれば断線を防止することができる。しかしながら、硬く硬化する樹脂を用いると、振動板の動きが阻害され、周波数応答が劣化してしまうという別の問題が発生する。
【００２０】
ボイスコイルの引き出し線の断線は、引き出し線が振動板とリングヨークとの間に強い力で挟まれることにより生ずるため、ボイスパーカッション用法の場合のみならず、落下衝撃などによっても生ずることがある。
【００２１】
したがって、本発明の課題は、例えばボイスパーカッション用法や落下衝撃などにより振動板が大きく変位したとしても、ボイスコイルの引き出し線の断線を確実に防止し得る構成が簡単で信頼性の高い断線防止手段を備えたダイナミックマイクロホンを提供することにある。
【課題を解決するための手段】
【００２２】
上記課題を解決するため、本発明は、請求項１に記載されているように、センタードームとサブドームの境界部にボイスコイルが取り付けられている振動板と、永久磁石の一方の極側に接続されたリングヨークおよび他方の極側に接続されたセンターポールピースにより形成される磁気ギャップを有する磁気発生回路とを少なくとも備え、上記振動板を介して上記ボイスコイルが上記磁気ギャップ内で振動可能に支持され、上記ボイスコイルの引き出し線が上記境界部から上記リングヨークの上面に沿って配線され外部に引き出されるダイナミックマイクロホンにおいて、上記リングヨークの上面側に、上記引き出し線が配線される溝が設けられていることを特徴としている。
【００２３】
本発明において、上記溝は少なくとも上記引き出し線の直径以上の深さで、かつ、上記サブドームが入り込み得ない幅を備えていることが好ましい（請求項２）。
【００２４】
本発明において、上記溝は上記リングヨークの上面に所定の間隔をもって貼着されたテープの間に形成されてもよいし（請求項３）、上記リングヨークの上面に所定の間隔をもって塗布された印刷層の間に形成されてもよい（請求項４）。また、上記溝は上記リングヨークの上面に形成された切削溝もしくはプレス加工溝であってもよい（請求項５）。
【発明の効果】
【００２５】
本発明によれば、リングヨークの上面側に、引き出し線が配線される溝（好ましくは引き出し線の直径以上の深さで、かつ、サブドームが入り込み得ない幅を備えている溝）を設けたことにより、振動板が大きく変位してサブドームが衝撃的にリングヨークに当接したとしても、引き出し線が溝内に逃がされるため断線することはない。
【発明を実施するための最良の形態】
【００２６】
次に、図１ないし図４により本発明の実施形態について説明する。図１は本発明によるダイナミックマイクロホンを示す一部に断面を含む平面図，図２は図１のＡ−Ａ線断面図，図３は図１におけるリングヨークの右側面図，図４は本発明の別の実施形態を示す図３と同様なリングヨークの右側面図である。なお、この実施形態の説明においても、先の図５で説明した従来例と同一もしくは同一と見なされてよい構成要素には、同じ参照符号が用いられている。
【００２７】
図１、図２に示すように、本発明のダイナミックマイクロホンにおいても、基本的な構成として、振動板１０と磁気発生回路２０とを備えているが、これらの構成は先に説明した図５の従来例と同じであってよい。
【００２８】
すなわち、振動板１０は、センタードーム１０ａと、その周りに一体に連接されたサブドーム１０ｂを備え、その境界部にはボイスコイル（発電コイル）１１が接着剤を介して取り付けられている。ボイスコイル１１には、例えば直径（線径）が３０μｍの絶縁被覆付き銅線が用いられてよい。
【００２９】
また、磁気発生回路２０は、永久磁石２１と、当該永久磁石２１の一方の極側に設けられたセンターポールピース２２と、同永久磁石２１の他方の極側にカップ状のヨーク２３を介して磁気的に接続されたリングヨーク２４とを備え、センターポールピース２２とリングヨーク２４との間で均一な磁束密度の磁気ギャップＧが形成されている。カップ状のヨーク２３とリングヨーク２４は一体に形成されてもよい。
【００３０】
磁気発生回路２０は図示しないユニットホルダ内に収納保持され、振動板１０はボイスコイル１１が上記磁気ギャップＧ内で振動するようにサブドーム１０ｂの周縁部が上記ユニットホルダに支持される。
【００３１】
ボイスコイル１１の引き出し線１１ａは、センタードーム１０ａとサブドーム１０ｂとの境界部分からサブドーム１０ｂの内面側であるリングヨーク２４の上面に沿って配線され、上記ユニットホルダに設けられている図示しない中継端子板にまで引き出されて、上記中継端子板の所定の端子にハンダ付けされる。
【００３２】
本発明では、ボイスパーカッション用法や落下衝撃などにより振動板１０が大きく変位したとしても、ボイスコイル１１の引き出し線１１ａが断線しないようにするため、図１ないし図３に示すように、リングヨーク２４の上面で引き出し線１１ａが配線される部分に溝３０を備える。
【００３３】
この溝３０は、振動板１０が大きく変位した際、引き出し線１１ａを逃すための衝撃緩和用の溝であり、少なくとも引き出し線１１ａの直径方向の一部分が入り込む深さであればよいが、好ましくは引き出し線１１ａの直径相当の深さ、より好ましくは引き出し線１１ａの直径よりも０．０５ｍｍ程度以上深い深さであることが好ましい。
【００３４】
また、溝３０の幅（リングヨーク２４の円周方向に沿った幅）は、２本の引き出し線１１ａが通される幅であることが必要であるが、余り広いと大変位時にサブドーム１０ｂの一部分が変形して溝３０内に入り込むことがあるため、これを阻止し得る幅とする必要がある。その幅は振動板の材質や厚さに応じて適宜決められてよい。
【００３５】
この実施形態では、リングヨーク２４の上面にテープ３１を貼着することにより、溝３０を形成している。この例では、溝３０となる部分が切りかかれているＣ字状のテープ３１をリングヨーク２４の上面に貼着するようにしているが、溝３０の両側にのみ２枚のテープ３１を堤防状に貼着してもよい。
【００３６】
使用するテープ３１は、サブドーム１０ｂによる押し付け力に対して対抗し得るある程度の圧縮強度を備えていることが好ましい。なお、テープ３１に代えてシルク印刷やパット印刷による印刷層を形成してもよい。
【００３７】
テープもしくは印刷層によれば、既存の機種にも設計変更を要することなく適用できるが、別の実施形態として、図４に示すように、リングヨーク２４の上面に、切削加工もしくはリングヨークのプレス加工時に直に溝３０を形成することもできる。
【００３８】
なお、上記の溝３０に加えて、上記第１従来技術の変位規制部材および／または弾性接着剤を併用してもよいことは勿論である。
【図面の簡単な説明】
【００３９】
【図１】本発明によるダイナミックマイクロホンを示す一部に断面を含む平面図。
【図２】図１のＡ−Ａ線断面図。
【図３】図１におけるリングヨークの右側面図。
【図４】本発明の別の実施形態を示す図３と同様なリングヨークの右側面図。
【図５】従来の一般的なダイナミックマイクロホンを示す断面図。
【図６】図５のダイナミックマイクロホンの過大変位状態を示す断面図。
【符号の説明】
【００４０】
１０  振動板
１０ａ  センタードーム
１０ｂ  サブドーム
１１  ボイスコイル
１１ａ  引き出し線
２０  磁気発生回路
２１  永久磁石
２２  センターポールピース
２３  カップ状ヨーク
２４  リングヨーク
３０  溝
３１  テープ
【図１】
2008148096.tif 000003
【図２】
2008148096.tif 000004
【図３】
2008148096.tif 000005
【図４】
2008148096.tif 000006
【図５】
2008148096.tif 000007
【図６】
2008148096.tif 000008